(57)【要約】      （修正有）【課題】洗浄水源から供給される洗浄水の給水圧力または給水流量に基づく給水状態に関わらず、洗浄力を維持しつつ更なる節水化を達成することができる水洗大便器を提供する。【解決手段】洗浄水源から供給される洗浄水により便器を洗浄して汚物を排出する水洗大便器１であって、流量可変手段が、洗浄開始後、最初にリム吐水口１８から吐水された洗浄水が、リム吐水口１８の位置に関連した洗浄を強化すべきボウル部１２内の所定領域を通過するまでの間、洗浄水の大半が汚物受け面２０を流下する程度の小さい第１流量で洗浄水の流量を制御する第１工程を有し、給水状態測定手段の測定結果に基づいて、第１流量が一定となるように洗浄水の流量を調整する。【選択図】図６
2015068078.tif 000002
【特許請求の範囲】
【請求項１】
洗浄水源から供給される洗浄水により便器を洗浄して汚物を排出する水洗大便器であって、
汚物を受ける汚物受け面と、洗浄水源から供給される洗浄水を上記汚物受け面に吐水して旋回流を形成するリム吐水口が形成されたリム部と、を有するボウル部と、
上記リム吐水口から吐水される洗浄水の流量を可変する流量可変手段と、
上記洗浄水源から供給される洗浄水の給水圧力または給水流量に基づく給水状態を測定する給水状態測定手段と、
を備え、
上記流量可変手段は、洗浄開始後、最初に上記リム吐水口から吐水された洗浄水が、上記リム吐水口の位置に関連した洗浄を強化すべき上記ボウル部内の所定領域を通過するまでの間、洗浄水の大半が上記汚物受け面を流下する程度の小さい第１流量で洗浄水の流量を制御する第１工程を有し、上記給水状態測定手段の測定結果に基づいて、上記第１流量が一定となるように洗浄水の流量を調整することを特徴とする水洗大便器。
【請求項２】
ジェット吐水を行うジェット吐水口と、
上記ジェット吐水口から吐水させる洗浄水を加圧する加圧ポンプと、
この加圧ポンプによって加圧すべき洗浄水を貯水する貯水タンクと、を備え、
上記流量可変手段は、上記洗浄水源から供給される洗浄水を上記リム吐水口または上記貯水タンクへと分配することで上記リム吐水口から吐水される洗浄水の流量を可変し、最初に上記リム吐水口から吐水された洗浄水が、上記ボウル部内の所定領域を通過後、上記ボウル部の本洗浄が可能となるように上記第１の流量よりも大きい第２の流量で洗浄水の流量を制御する第２工程を有し、
さらに、上記給水状態測定手段の測定結果に基づいて、上記第２工程の時間を調整する上記吐水時間調整手段を備えたことを特徴とする請求項１に記載の水洗大便器。
【発明の詳細な説明】
【技術分野】
【０００１】
本発明は、水洗大便器に係り、特に、洗浄水源から供給される洗浄水により便器を洗浄
して汚物を排出する水洗大便器に関する。
【背景技術】
【０００２】
近年の水洗大便器の分野では、便器洗浄に使用される洗浄水量の節水化の要請が著しく、１回の大洗浄に使用される最大の洗浄水量が、例えば４リットル程度になるように、節水化の実現に向けた様々な取り組みがなされている。
【０００３】
しかしながら、このような状態で便器洗浄を行うと、比較的小さい曲率半径のボウル部の前方を通過する洗浄水は、遠心力の作用により洗浄水が流下し難く、節水化により洗浄水量が減少したことと合わせ、ボウル部を汚物受け面に流下する洗浄水量が不足してしまい、汚物が残存してしまうといった問題があった。
【０００４】
このような問題に対して、リム吐水の流速が比較的小さい流量（流速）となるように、給水路切替弁の開度を制御している水洗大便器が知られている（例えば、特許文献１参照）。特許文献１の水洗大便器では、リム吐水口がボウル部の後方左側領域に形成されている。リム吐水口からの吐水は、ボウル部内の前方右側領域を通過するまでの間、洗浄水の流量（流速）が比較的小さい流量（流速）で制御されているため、ボウル部の前方右側領域を通過する洗浄水に作用する遠心力の影響を抑制することができる。これにより、ボウル部の前方右側領域を通過する最初の洗浄水の大半を汚物受け面に沿って確実に流下することができる。
【先行技術文献】
【特許文献】
【０００５】
【特許文献１】特開２０１３−７９５４６号公報
【発明の概要】
【発明が解決しようとする課題】
【０００６】
しかしながら、リム吐水は洗浄水源から供給される洗浄水の給水圧力または給水流量に基づく給水状態の変動の影響を受ける。具体的には、洗浄水源から供給される洗浄水の給水圧力が変動すると、洗浄水源から供給される洗浄水の給水流量（流速）も変動し、その結果、リム吐水の流量（流速）も変動してしまう。そのため、特許文献１に示すような水洗大便器では、洗浄力を維持するために、リム吐水は徐々に流量（流速）を増やしながら比較的小さい流量（流速）で長い時間行う必要があり、洗浄力は維持できるものの節水化には未だ改善の余地が残っていた。
【０００７】
そこで、本発明では、洗浄水源から供給される洗浄水の給水圧力または給水流量に基づく給水状態の変動に関わらず、洗浄力を維持しつつ更なる節水化を達成することができる水洗大便器を提供することを目的とする。
【課題を解決するための手段】
【０００８】
上記目的を達成するため、本発明のうち第１の態様に係る水洗大便器においては、洗浄水源から供給される洗浄水により便器を洗浄して汚物を排出する水洗大便器であって、汚物を受ける汚物受け面と、洗浄水源から供給される洗浄水を上記汚物受け面に吐水して旋回流を形成するリム吐水口が形成されたリム部と、を有するボウル部と、上記リム吐水口から吐水される洗浄水の流量を可変する流量可変手段と、上記洗浄水源から供給される洗浄水の給水圧力または給水流量に基づく給水状態を測定する給水状態測定手段と、を備え、上記流量可変手段は、洗浄開始後、最初に上記リム吐水口から吐水された洗浄水が、上記リム吐水口の位置に関連した洗浄を強化すべき上記ボウル部内の所定領域を通過するまでの間、洗浄水の大半が上記汚物受け面を流下する程度の小さい第１流量で洗浄水の流量を制御する第１工程を有し、上記給水状態測定手段測定結果に基づいて、上記第１流量が一定となるように洗浄水の流量を調整することを特徴とする。
【０００９】
このような構成の水洗大便器によれば、洗浄開始後、洗浄水源からリム吐水口に供給される洗浄水の洗浄水量を抑制して節水化を行ったとしても、流量可変手段は、洗浄開始後、最初にリム吐水口から吐水された洗浄水が、リム吐水口の位置に関連した洗浄を強化すべきボウル部内の所定領域を通過するまでの間、洗浄水の流量が比較的小さい第１の流量で制御する第１工程を有しているため、第１工程において、ボウル部内の所定領域を通過する洗浄水に作用する遠心力の影響を抑制することができる。よって、洗浄を強化すべきボウル部内の所定領域を通過する最初の洗浄水の大半が汚物受け面に沿って確実に流下することができる。
【００１０】
また、第１工程で問題となる洗浄水源から供給される洗浄水の給水圧力または給水流量に基づく給水状態の変動にも対応することが可能となる。つまり、流量可変手段が、給水状態測定手段の測定結果に基づいて第１流量が一定となるようにリム吐水口から吐水される洗浄水の流量を調整するため、洗浄水源から供給される洗浄水の給水圧力または給水流量に基づく給水状態に関わらず、第１の工程において、洗浄開始後、最初にリム吐水口から吐水された洗浄水が、リム吐水口の位置に関連した洗浄を強化すべきボウル部内の所定領域を通過するまでの間、洗浄水の大半が汚物受け面を流下する程度の小さい第１流量で洗浄水の流量を制御することができる。そのため、従来の方法と比較して、吐水時間を短くすることができる。従って、洗浄水源から供給される洗浄水の給水圧力または給水流量に基づく給水状態に関わらず、洗浄力を維持しつつ更なる節水化を達成することができる。
【００１１】
本発明のうち第２の態様に係る水洗大便器は、ジェット吐水を行うジェット吐水口と、上記ジェット吐水口から吐水させる洗浄水を加圧する加圧ポンプと、この加圧ポンプによって加圧すべき洗浄水を貯水する貯水タンクと、を備え、上記流量可変手段は、上記洗浄水源から供給される洗浄水を上記リム吐水口または上記貯水タンクへと分配することで上記リム吐水口から吐水される洗浄水の流量を可変し、最初に上記リム吐水口から吐水された洗浄水が、上記ボウル部内の所定領域を通過後、上記ボウル部の本洗浄が可能となるように上記第１の流量よりも大きい第２の流量で洗浄水の流量を制御する第２工程を有し、さらに、上記給水状態測定手段の測定結果に基づいて、上記第２工程の時間を調整する上記吐水時間調整手段を備えたことを特徴とする。
【００１２】
このような構成の水洗大便器によれば、第２工程では、流量可変手段により洗浄水の流量が、ボウル部の本洗浄が可能となるように第１の流量よりも大きい第２の流量で制御されるため、洗浄水がボウル部内の洗浄を強化すべき所定領域を通過後に、このボウル部内の所定領域以外の領域を洗浄するのに十分な旋回流を形成することができ、ボウル部内全体の洗浄性能を向上させることができる。また、吐水時間調整手段は、給水状態測定手段の測定結果に基づいて、第２工程の時間を調整するため、洗浄水源から供給される洗浄水の給水圧力または給水流量が必要以上に低い場合には、第２工程の時間を長くすることで、洗浄性能を維持することができ、洗浄水源から供給される洗浄水の給水圧力または給水流量が高い場合には、第２工程の時間を短くすることで、より節水化を達成することができる。よって、洗浄水源から供給される洗浄水の給水圧力または給水流量に基づく給水状態に関わらず、第２工程における洗浄水量を一定とすることができる。従って、第２工程においても、洗浄水源から供給される洗浄水の給水圧力または給水流量に基づく給水状態に関わらず、洗浄力を維持しつつ更なる節水化を達成することができる。
【発明の効果】
【００１３】
本発明によれば、洗浄水源から供給される洗浄水の給水圧力または給水流量に基づく給水状態の変動に関わらず、洗浄力を維持しつつ更なる節水化を達成することができる。
【図面の簡単な説明】
【００１４】
【図１】本発明の実施形態に係る水洗大便器の部分側面図である。
【図２】図１に示す水洗大便器の平面図である。
【図３】本発明の実施形態に係る水洗大便器を示す全体構成図である。
【図４】本発明の実施形態に係る水洗大便器の給水路切替弁のタンク側給水の状態を示す部分構成図である。
【図５】本発明の実施形態に係る水洗大便器の給水路切替弁がリム吐水口側及び貯水タンク側の両方に給水する状態を示す部分構成図である。
【図６】本発明の実施形態に係る水洗大便器のリム吐水口の位置、リム吐水口から吐水される洗浄水の吐水方向、ボウル部内の洗浄を強化すべき領域（以下「洗浄強化領域」）のそれぞれを説明した水洗大便器の概略平面図である。
【図７】本発明の実施形態に係る水洗大便器の洗浄動作を示すタイムチャートである。
【図８】本発明の実施形態に係る水洗大便器のリム洗浄動作における給水路切替弁の動作およびリム吐水口からの洗浄水の流量を示すタイムチャートである。
【発明を実施するための形態】
【００１５】
添付図面を参照して、本発明の第１実施形態による水洗大便器を説明する。
【００１６】
まず、図１〜図３により、本発明の第１実施形態による水洗大便器の構造を説明する。
ここで、図１は本発明の第１実施形態による水洗大便器の部分側面図であり、図２は図１に示す水洗大便器の平面図であり、図３は本発明の第１実施形態による水洗大便器を示す全体構成図である。
【００１７】
図１及び図２に示すように、本発明の第１実施形態による水洗大便器１は、便器本体２と、この便器本体２の上面に配置された便座４と、便座４を覆うように配置されたカバー６と、便器本体２の後方上部に配置された局部洗浄装置８を備えている。さらに、便器本体２の後方には、機能部１０が配置されている。
【００１８】
便器本体２には、汚物を受けるボウル形状のボウル部１２と、このボウル部１２の底部から延びる排水トラップ管路１４と、ジェット吐水を行うジェット吐水口１６と、リム吐水を行うリム吐水口１８が形成されている。
また、図２においては、平面視で便器本体２の左右方向に延びる中心線Ｃ１により、ボウル部１２内を前後方向に二等分した領域をそれぞれ前方側領域Ｆ及び後方側領域Ｒとしている。また、平面視で便器本体２の前後方向に延びる中心線Ｃ２により、便器本体２の前方側から見てボウル部１２内を左右方向に二等分した領域をそれぞれ左側領域ｌ及び右側領域ｒとしている。
【００１９】
ジェット吐水口１６は、ボウル部１２の汚物を受ける汚物受け面２０の底部２０ａに形成されており、排水トラップ管路１４の入口１４ａに指向してほぼ水平に配置され、洗浄水を排水トラップ管路１４に向けて吐出するようになっている。
【００２０】
リム吐水口１８は、ボウル部１２の上縁に形成するリム部２２の後方側領域Ｒで且つ左側領域ｌの内周面２２ａに形成されている。このリム吐水口１８からリム部２２の内周面２２ａに沿って前方に吐出された洗浄水は、汚物受け面２０の上縁とリム部２２の下縁との間に形成されたボウル部１２の棚部２４から汚物受け面２０に沿って旋回する流れ（旋回流）を形成するようになっている。
【００２１】
排水トラップ管路１４は、入口部１４ａと、この入口部１４ａから上昇するトラップ上昇管１４ｂと、このトラップ上昇管１４ｂから下降するトラップ下降管１４ｃとからなり、トラップ上昇管１４ｂとトラップ下降管１４ｃとの間が頂部１４ｄとなっている。
ここで、排水トラップ管路１４のトラップ下降管１４ｃの下端には、排水管２６が接続されている。
【００２２】
本実施形態による水洗大便器１においては、リム吐水に関しては、リム部２２のリム吐水口１８よりも後方側に形成されたリム導水路１８ａが、洗浄水を供給する洗浄水源である水道（図示せず）に直結されており、水道の給水圧力により、リム導水路１８ａに供給された洗浄水は、リム吐水口１８から前方へ吐出されるようになっている。
また、ジェット吐水に関しては、後述するように、機能部１０に内蔵された貯水タンク２８（図３参照）に貯水された洗浄水は、加圧ポンプ３０によって加圧され、ボウル部１２の後方側からジェット吐水口１６にかけて形成されたジェット導水路１６ａを経て、大流量でジェット吐水口１６から吐出されるようになっている。
【００２３】
つぎに、図３により、本実施形態による水洗大便器１の機能部１０を詳細に説明する。  図３に示すように、機能部１０には、水道から洗浄水が供給される給水路３２が設けられ、この給水路３２には、上流側から、止水栓３４、ストレーナ３６、分岐金具３８、定流量弁４０、ダイヤフラム式の電磁開閉弁４２、給水路切替弁４４がそれぞれ設けられている。
【００２４】
これらの定流量弁４０、電磁開閉弁４２、及び、給水路切替弁４４は、後述するように、バルブユニット４６として、一体的に組立られたものとなっている。
また、給水路切替弁４４の下流側には、リム吐水口１８に洗浄水を供給するためのリム側給水路４８、及び、貯水タンク２８に洗浄水を供給するためのタンク側給水路５０が接続されている。
【００２５】
ここで、定流量弁４０は、止水栓３４、ストレーナ３６、分岐金具３８を介して流入した洗浄水を、所定の流量以下に絞るためのものである。また、定流量弁４０を通過した洗浄水は、電磁開閉弁４２に流入し、電磁開閉弁４２を通過した洗浄水は、給水路切替弁４４により、リム側であるリム側給水路４８からリム吐水口１８へ、又は、タンク側であるタンク側給水路５０から貯水タンク２８に供給されるようになっている。ここで、詳細は後述するように、給水路切替弁４４は、リム側給水路４８とタンク側給水路５０の両方に同じタイミングで洗浄水を供給可能であって、リム側とタンク側への給水量の割合を任意に変更できる切替弁である。
【００２６】
また、貯水タンク２８の下部には、ポンプ側給水路５２が接続されており、このポンプ側給水路５２の下流端にはポンプ室３０ａを備えた加圧ポンプ３０が接続されている。
さらに、加圧ポンプ３０とジェット吐水口１６は、ジェット側給水路５４により接続されており、加圧ポンプ３０が、貯水タンク２８に貯水された洗浄水を加圧してジェット吐水口１６まで供給するようになっている。このジェット側給水路５４は、図３に示すように、上方に向けて凸型に形成されており、この凸型部分の頂部５４ａが最高位置となっている。
【００２７】
つぎに、上述したリム側給水路４８には、リム吐水用バキュームブレーカ５６が設けられており、給水路３２に負圧が発生した時に洗浄水のリム吐水口１８からの逆流を防止している。
また、リム吐水用バキュームブレーカ５６は、図３に示すように、ボウル部１２の上端面よりも上方に配置され、これにより、逆流を確実に防止している。さらに、リム吐水用バキュームブレーカ５６の大気開放部から溢れた洗浄水は、戻り管路５８を通って貯水タンク２８に流入するようになっている。
タンク側給水路５０にも、逆止弁であるバキュームブレーカ６０が設けられており、洗浄水の貯水タンク２８からの逆流を防止している。
【００２８】
ここで、貯水タンク２８は、密閉タイプの貯水タンクであり、タンク側給水路５０と貯水タンク２８の接続部には、フロート式逆止弁６２が設けられている。このフロート式逆止弁６２により、貯水タンク２８が後述するオーバーフロー流路６４の上端６４ａの位置を越えて満水状態になった場合でも、フロート６２ａが浮上して、タンク側給水路５０との接続部を閉鎖するので、洗浄水がタンク側給水路５０に逆流することがないようになっている。
【００２９】
同様に、戻り管路５８と貯水タンク２８の接続部にも、フロート６６ａを備えたフロート式逆止弁６６が設けられており、貯水タンク２８が後述するオーバーフロー流路６４の上端６４ａの位置を越えて満水状態になった場合でも、洗浄水が戻り管路５８に逆流することがないようになっている。
【００３０】
さらに、ポンプ側給水路５２には、水抜栓７０が設けられている。この水抜栓７０は、加圧ポンプ３０よりも下方の、貯水タンク２８の下端部付近の高さに配置されている。このため、水抜栓７０を開放することにより、メンテナンス時等に貯水タンク２８内及び加圧ポンプ３０内の洗浄水を排出することができるようになっている。また、加圧ポンプ３０の下方には、水受けトレイ７２が配置されており、結露した水滴や漏水を受けるようになっている。
【００３１】
また、機能部１０には、電磁開閉弁４２の開閉操作、給水路切替弁４４の切替操作、及び、加圧ポンプ３０の回転数や作動時間等を制御するコントローラ７４が内蔵されている。
【００３２】
貯水タンク２８の内部には、上端フロートスイッチ７６、及び、下端フロートスイッチ７８が配置されている。
上端フロートスイッチ７６は、貯水タンク２８内の水位が通常使用時の最高水位Ｌ１より少しだけ低い所定位置Ｌ２に達するとオンに切り替わり、コントローラ７４はこれを検知して、電磁開閉弁４２を閉鎖させる。
下端フロートスイッチ７８は、貯水タンク２８内の水位が通常使用時の最低水位Ｌ３より少しだけ高い所定の水位Ｌ４まで低下するとオンに切り替わり、コントローラ７４はこれを検知して、加圧ポンプ３０を停止させる。
【００３３】
さらに、オーバーフロー流路６４が設けられ、このオーバーフロー流路６４の上端６４ａは貯水タンク２８内に開口し、その下端６４ｂは、ジェット側給水路５４に接続されている。
このオーバーフロー流路６４には逆止弁であるフラッパー弁８０が取り付けられている。このオーバーフロー流路６４及びフラッパー弁８０により、洗浄水のジェット吐水口１６からの逆流を防止すると共に、これらの間の縁切りを行うことができるようになっている。
【００３４】
コントローラ７４は、使用者による便器洗浄スイッチ（図示せず）の操作により、電磁開閉弁４２、給水路切替弁４４、加圧ポンプ３０を順次作動させ、まずリム吐水口１８から吐水し、リム吐水を継続させながら、つぎにジェット吐水口１６からの吐水を開始させて、ボウル部１２を洗浄する。さらに、コントローラ７４は、洗浄終了後、給水路切替弁４４を貯水タンク２８側に切り替えて洗浄水を貯水タンク２８に補給する。貯水タンク２８内の水位が上昇し、上端フロートスイッチ７６が規定の貯水位置を検出すると、コントローラ７４は、電磁開閉弁４２を閉鎖して給水を停止する。
【００３５】
また、コントローラ７４は、給水状態測定手段として、貯水タンク２８への洗浄水の補給が開始された後、上端フロートスイッチ７６が規定の貯水位置を検出するまでの時間を計測する機能を有している。ここで、給水状態測定手段は、洗浄水源から供給される洗浄水の給水圧力または洗浄水源の給水流量(流速)に基づく洗浄水源の給水状態を測定するものである。
さらに、コントローラ７４は、吐水時間調整手段として、計測した時間に基づいて、後述する第２工程の時間を調整する機能を有している。
なお、コントローラ７４は、後述するように給水路切替弁４４の制御も行っている。
【００３６】
つぎに、図４及び図５により、バルブユニット４６（特に給水路切替弁４４）の構造を詳細に説明する。
図４は本発明の第１実施形態による水洗大便器の給水路切替弁のタンク側給水の状態を示す部分構成図であり、図５は本発明の第１実施形態による水洗大便器の給水路切替弁がリム吐水口側及び貯水タンク側の両方に給水する状態を示す部分構成図である。
【００３７】
まず、図４に示すように、電磁開閉弁４２は、ダイヤフラム４２ａとこのダイヤフラム４２ａを開閉するためのソレノイド４２ｂを備えている。
また、給水路切替弁４４は、上流の定流量弁４０側に開口する第１ポート４４ａ、タンク側給水路５０に開口する第２ポート４４ｂ、リム側給水路４８に開口する第３ポート４４ｃを備えている。給水路切替弁４４は、これらの各ポートを切り替えるための、ロータ（弁体）４４ｄを備え、このロータ４４ｄが、駆動モータであるステッピングモータ（図示せず）により所望位置に駆動されるようになっている。
【００３８】
具体的には、給水路切替弁４４において、洗浄水を貯水タンク２８に供給する場合は、図４に示すように、第３ポート４４ｃを閉鎖して第１ポート４４ａと第２ポート４４ｂを連通させ、一方、図示しないが、洗浄水をリム吐水口１８に供給する場合は、第２ポート４４ｂを閉鎖して第１ポート４４ａと第３ポート４４ｃを連通させる。
さらに、図５に示すように、給水路切替弁４４において、ロータ４４ｄにより、第２ポート４４ｂと第３ポート４４ｃのそれぞれの一部を閉鎖することにより、給水路３２をリム側給水路４８とタンク側給水路５０の両方に連通させることもできるようになっている。
【００３９】
このように、本実施形態においては、給水路切替弁４４においてロータ４４ｄを駆動することにより、リム吐水口１８（リム側）と貯水タンク２８（貯水タンク側）に供給される洗浄水の総流量を１００％とした場合に、全洗浄水をリム側に供給する状態（リム側１００％）から全洗浄水を貯水タンク２８側に供給する状態（貯水タンク２８側１００％）までの範囲で切り替え操作できるようになっている。
【００４０】
つぎに、図６により、ボウル部１２内の洗浄を強化すべき領域（洗浄強化領域）について詳細に説明する。
図６は、本発明の第１実施形態による水洗大便器のリム吐水口の位置、リム吐水口から吐水される洗浄水の吐水方向、ボウル部内の洗浄を強化すべき領域（以下「洗浄強化領域」）のそれぞれを説明した水洗大便器の概略平面図である。
【００４１】
まず、リム吐水口１８からボウル部１２内に吐出された洗浄水の流れについての詳細は後述するが、本発明の発明者らは、従来の一般的な水洗大便器を用いて、リム吐水口の位置や吐水流量の様々な条件下における洗浄性能に関する解析と実験を行い、例えば、１回の大洗浄に使用する最大の洗浄水量を３．８リットル〜４．０リットル程度に設定したときに、リム吐水口の位置、吐水流量及びボウル部のボウル形状等と関連した、ボウル部内のある特定の領域が他の領域に比べて洗浄力が弱まる傾向があることを見出した。例えば、ボウル部内のリム吐水口の位置を本実施形態の水洗大便器１のリム吐水口１８の位置ＰA と同様に、ボウル部の後方側領域で且つ左側領域の内周面に設定してリム吐水口から洗浄水を前方へ吐出させた場合に、特に、ボウル部内の前方側領域で且つボウル部を前方から見て右側領域や、ボウル部内の後方側領域で且つボウル部を前方から見て左側領域において、ボウル部１２の棚部２４から汚物受け面２０に向けて流下する洗浄水が少なく、他の領域に比べて洗浄力が弱まる傾向にあることを見出した。
【００４２】
そこで、本実施形態の水洗大便器１では、図６に示すように、従来の水洗大便器を想定した場合に洗浄力が弱まる傾向が予想されるボウル部１２の前方側領域Ｆで且つボウル部１２を前方から見て右側領域ｒについて洗浄を強化すべき領域（洗浄強化領域）Ｆｒとし、ボウル部１２内の後方側領域Ｒで且つボウル部１２を前方から見て左側領域ｌについて洗浄を強化すべき領域（洗浄強化領域）Ｒｌとした。
すなわち、洗浄強化領域Ｆｒは、図６に示すように、ボウル部１２内の中心部Ｏとボウル部１２内の前端部１２ａとを直線的に結ぶ境界線ｓ１、ボウル部１２内の前端部１２ａとボウル部１２内の右側端部１２ｂとをリム部２２の内周面２２ａに沿って曲線的に結ぶ境界線ｓ２、及びボウル部１２内の右側端部１２ｂとボウル部１２内の中心部Ｏとを直線的に結ぶ境界線ｓ３によって囲まれた領域であり、この洗浄強化領域Ｆｒは、リム吐水口１８の位置に関連した洗浄を強化すべきボウル部１２内の領域である。
また、洗浄強化領域Ｒｌは、ボウル部１２内の中心部Ｏとボウル部１２内の後端部１２ｃとを直線的に結ぶ境界線ｓ４、ボウル部１２内の後端部１２ｃとボウル部１２内の左側端部１２ｄとをリム部２２の内周面２２ａに沿って曲線的に結ぶ境界線ｓ５、及びボウル部１２内の左側端部１２ｄとボウル部１２内の中心部Ｏとを直線的に結ぶ境界線ｓ６によって囲まれた領域において、リム吐水口１８の前方領域及びこの前方領域に隣接した領域を除いた領域であり、この洗浄強化領域Ｒｌは、リム吐水口１８の位置に関連した洗浄を強化すべきボウル部１２内の領域である。
【００４３】
つぎに、図６、図７及び図８により、本実施形態による水洗大便器の洗浄動作（作用）を説明する。
図７は本発明の実施形態による水洗大便器の洗浄動作を示すタイムチャートであり、図８は本発明の実施形態による水洗大便器のリム洗浄動作における給水路切替弁の動作およびリム吐水口からの洗浄水の流量を示すタイムチャートである。
【００４４】
図７及び図８に示すように、まず、待機状態（時刻ｔ０〜ｔ１）において、給水路切替弁４４は、リム側給水路４８を全開とする位置となっている。すなわち、給水路切替弁４４の開度はリム側１００％貯水タンク側０％の状態となっている。
【００４５】
つぎに、この待機状態（時刻ｔ０〜ｔ１）で、便器洗浄スイッチ（図示せず）が操作され（時刻ｔ１）、洗浄開始の信号を受けると、前リム吐水（時刻ｔ１〜ｔ１１）が開始される。このとき（時刻ｔ１）、コントローラ７４により、給水路切替弁４４の開度は、リム側１００％貯水タンク側０％の位置から、タンク側給水路５０に全開状態（リム側０％貯水タンク側１００％）の位置に切り替えられ、時刻ｔ２〜ｔ３の間（０．１秒）、この状態が保持される。
【００４６】
つぎに、給水路切替弁４４の開度がタンク側１００％になったとき、すなわち、時刻ｔ２において、電磁開閉弁４２をＯＮとして、洗浄水を給水路３２に流入させる。これにより、給水路切替弁４４の上流側にある給水路３２内に残留する圧縮空気を貯水タンク２８内に排出することができる。この結果、給水路切替弁４４の開度がリム側１００％の状態でいきなりリム側給水路４８から吐水した場合に生じるリム吐水口１８からの空気の異音（排出音）の発生や水はね等を防止することができる。
【００４７】
つぎに、時刻ｔ３〜ｔ４の間（例えば、１．７秒間）に、コントローラ７４により、給水路切替弁４４の開度がタンク側全開位置（貯水タンク側１００％）からリム側全開位置（リム側１００％）に徐々に切り替えられ、洗浄水をリム吐水口１８へ少量ずつ供給し、リム吐水口１８からの洗浄水の吐水が開始する。
【００４８】
例えば、時刻ｔ３〜ｔ１００の間（例えば、０，１秒）では、リム吐水口１８から吐水される洗浄水の流量が０［Ｌ／ｍｉｎ］から所定の流量Ｑ１（例えば、３〜７［Ｌ／ｍｉｎ］）まで所定の増加率（傾き）ｋ１で時間の経過と共に比例的に増加するように、給水路切替弁４４の開度がコントローラ７４により制御される。
そして、時刻ｔ１００〜ｔ１０２（例えば、１．５秒）の間では、リム吐水口１８から吐水される洗浄水の流量Ｑ１ａが、所定の流量Ｑ１から流量Ｑ１ｂまで増加率（傾き）Ｋ１よりも小さい増加率（傾き）Ｋ２で時間の経過と共に比例的に増加するように、給水路切替弁４４の開度がコントローラ７４により制御される（第１工程）。
そして、時刻ｔ１０２〜ｔ４の間（例えば、０．１秒）では、リム吐水口１８から吐水される洗浄水の流量Ｑ１ｂが、所定の流量Ｑ１ａから、この流量Ｑ１ａよりも大きい流量Ｑ２（例えば、９〜１６［Ｌ／ｍｉｎ］）まで所定の増加率（傾き）ｋ１で時間の経過と共に比例的に増加するように、給水路切替弁４４の開度がコントローラ７４により制御される。
【００４９】
すなわち、時刻ｔ３〜ｔ４の間（例えば、１．７秒間）にリム吐水口１８から吐水された洗浄水がボウル部１２内の領域Ｆｌを旋回して洗浄強化領域Ｆｒの境界線ｓ１から境界線ｓ３までの区間を通過しているときの洗浄強化領域Ｆｒ内の洗浄水の流量及び流速が時間の経過と共に段階的に増加し、洗浄強化領域Ｆｒ内の洗浄水の流量Ｑ１ａ（流速ｖ１ａ）が、ボウル部１２内の領域Ｒｒを流れる洗浄水の流量Ｑ２（流速ｖ２）よりも小さく且つ汚物受け面２０を流下する程度の比較的小さい流量（比較的遅い流速）となるようにコントローラ７４により制御される。
【００５０】
このような制御により、洗浄水源である水道（図示せず）からリム吐水口１８に供給される洗浄水の洗浄水量について、４．０リットル程度の洗浄水量（例えば、３．８〜４．２リットル）に抑制して節水化を行ったとしても、コントローラ７４は、洗浄開始後、最初にリム吐水口１８から吐水された洗浄水が、ボウル部１２内の洗浄強化領域Ｆｒを通過するまでの間（時刻ｔ３〜ｔ４の間）、洗浄水の流量Ｑ１ａ（流速ｖ１ａ）が比較的小さい流量（比較的遅い流速）で制御する第１工程を有しているため、第１工程において、ボウル部１２内の洗浄強化領域Ｆｒを通過する洗浄水に作用する遠心力の影響を抑制することができ、ボウル部１２内の洗浄強化領域Ｆｒを通過する最初の洗浄水の大半が汚物受け面２０に沿って確実に流下することができる。したがって、水洗大便器１の洗浄水量の節水化が行われている状況下でも、ボウル部１２内の洗浄強化領域Ｆｒの汚物受け面２０に付着していた汚物を洗い落すのに十分な洗浄水量と水勢を得ることができ、洗浄性能を向上させることができる。
【００５１】
また、時刻ｔ３〜ｔ４の内、時刻ｔ１００〜ｔ１０２の所定時間では給水路切替弁４４の開度を徐々に変化し、流量Ｑ１ａが所定の流量Ｑ１から流量Ｑ１ｂまで増加率（傾き）Ｋ２よりも小さい増加率（傾き）Ｋ１で時間の経過と共に比例的に増加するため、リム吐水口１８から吐水された洗浄水が汚物受け面２０に沿って流下する位置が、洗浄水の旋回方向に対して変化する。すなわち、リム吐水口１８から吐水された洗浄水が流下することで洗うことができる汚物受け面２０の領域を広げることができる。そのため、リム吐水口１８から所定時間に吐水された比較的小さい流量（比較的遅い流速）の洗浄水が、ボウル部１２内の洗浄強化領域Ｆｒを通過する際に、大半が汚物受け面２０に沿ってより確実に流下する。したがって、水洗大便器１の洗浄水量の節水化が行われている状況下でも、ボウル部１２内の洗浄強化領域Ｆｒの汚物受け面２０に付着していた汚物を洗い落すのに十分な洗浄水量と水勢を得ることができ、より洗浄性能を向上させることができる。
【００５２】
さらに、リム吐水口１８に大量の洗浄水が一気に供給されることなく、リム吐水口１８に徐々に洗浄水が供給されるので、給水路切替弁４４の下流側のリム側給水路４８内に残留する空気をリム吐水口１８からスムーズに排出することができ、それにより、残留空気が一気に排出されるときに生じる異音の発生や水はね等も防止することができる。
【００５３】
つぎに、図６、図７及び図８に示すように、最初にリム吐水口１８から吐水された洗浄水がボウル部１２内の洗浄強化領域Ｆｒを洗浄水が通過した後、時刻ｔ４でコントローラ７４の制御により、給水路切替弁４４の開度がリム側全開位置（リム側１００％）に達し、ボウル部１２内の領域Ｒｒに流れているときの洗浄水の流量Ｑ２が、時刻ｔ３〜ｔ４の間（例えば、１．７秒間）の洗浄水の流量Ｑ１（例えば、３〜７［Ｌ／ｍｉｎ］）よりも大きい所定の流量（例えば、９〜１６［Ｌ／ｍｉｎ］）に達する。このとき（時刻ｔ４）、ボウル部１２内の領域Ｒｒを流れる洗浄水の流速ｖ２は、洗浄強化領域Ｆｒ内の汚物受け面２０を流下する程度の遅い流速ｖ１よりも速い流速となる。また、この流量Ｑ２（流速ｖ２）の洗浄水は、ボウル部１２内の領域Ｒｒから洗浄強化領域Ｒｌに向って旋回すると共に、一部の洗浄水がボウル部１２内の領域Ｒｒの所定領域Ｚにおける棚部２４の傾斜部２４ａに沿って汚物受け面２０へ流下し、ボウル部１２内の領域Ｒｒについて本洗浄が行われる。
【００５４】
つぎに、時刻ｔ４以降、洗浄水がボウル部１２内の領域Ｒｒを所定の流量Ｑ２（例えば、９〜１６［Ｌ／ｍｉｎ］）及び流速ｖ２でボウル部１２内の洗浄強化領域Ｒｌに向って旋回するように、コントローラ７４が給水路切替弁４４の開度を制御する（第２工程）。また、時刻ｔ４〜ｔ５の間（例えば、４秒）、ボウル部１２内の領域Ｒｒから洗浄強化領域Ｒｌに旋回した洗浄水は、図６に示すように、洗浄強化領域Ｒｌの所定領域Ｚにおける棚部２４の傾斜部２４ａから汚物受け面２０に沿って流下する。
【００５５】
つぎに、時刻ｔ５〜ｔ１１の間において、ジェット吐水を行うために、加圧ポンプ３０をＯＮとし、加圧ポンプ３０が貯水タンク２８内の洗浄水をジェット吐水口１６へ供給し、洗浄水をジェット吐水口１６から吐水する。
【００５６】
つぎに、時刻ｔ１１において、貯水タンク２８内の洗浄水の水位が低下して、下端フロートスイッチ７８がＯＮとなると、加圧ポンプ３０の作動を停止する。このとき、加圧ポンプ３０の回転数を、ジェット吐水口１６からの吐水が漸減するように、時刻ｔ１１から時刻ｔ１２までの間、ゆっくりと低減させる。これにより、サイホン作用が急激に途切れることにより生じるサイホン切れ音の発生を防止することができる。
【００５７】
時刻ｔ１１において、ジェット吐水は終了したが、このとき、リム吐水は依然として継続しており、時刻ｔ１１から時刻ｔ１３までの所定時間（例えば、４秒）、リム吐水（後リム吐水）だけ継続される。
【００５８】
この後、時刻ｔ１３〜ｔ１４において、コントローラ７４により、給水路切替弁４４の開度をリム側全開からタンク側全開に切り替える。これにより、貯水タンク２８内に洗浄水が貯水される。
時刻ｔ１３において、貯水タンク２８への洗浄水の補給が開始されるとともに、コントローラ７４は、貯水タンク２８が規定の貯水量に復帰するまでの水補給時間の計測を開始する。
【００５９】
つぎに、時刻ｔ１５において、貯水タンク２８内の水位が上昇することにより、上端フロートスイッチ７６がＯＮとなり、これにより、電磁開閉弁４２がＯＦＦ（閉操作）となり、洗浄水の貯水タンク２８内への流入が停止される。そして、コントローラ７４は、水補給時間の計測を終了する。
【００６０】
つぎに、コントローラ７４は、洗浄水源である水道の給水状態として、計測した水補給時間から洗浄水源である水道の給水流量ＱＡを算出する。そして、算出した給水流量ＱＡに基づいて、所定の流量Ｑ１が一定となるように、水洗大便器１の次回の洗浄での給水路切替弁４４の開度を設定する。また、コントローラ７４は、算出した給水流量ＱＡに基づいて、水洗大便器１の次回の洗浄での第２工程の時間を調整して設定する。なお、本実施形態では、基準給水流量Ｑ０を約１２［Ｌ／ｍｉｎ］として、コントローラ７４により給水路切替弁４４の開度が設定される。
【００６１】
具体的には、算出した給水流量ＱＡが、基準給水流量Ｑ０よりも高い場合には、図８の一点鎖線で示すように、コントローラ７４は、第１工程において、水洗大便器１の次回の洗浄での給水路切替弁４４の開度を水洗大便器１の今回の洗浄での給水路切替弁４４の開度よりもタンク側へ開くように設定する。すなわち、水洗大便器１の次回の洗浄では時刻ｔ３から時刻ｔ４において、コントローラ７４により、給水路切替弁４４の開度が水洗大便器１の今回の洗浄での給水路切替弁４４の開度よりもタンク側へ開くように制御される。一方、算出した給水流量ＱＡが、基準給水流量Ｑ０よりも低い場合には、図８の点線で示すように、コントローラ７４は、第１工程において、水洗大便器１の次回の洗浄給水路切替弁４４の開度を洗大便器１の今回の洗浄での給水路切替弁４４の開度よりもリム側へ開くように設定する。すなわち、水洗大便器１の次回の洗浄では、時刻ｔ３から時刻ｔ４において、コントローラ７４により、給水路切替弁４４の開度が水洗大便器１の今回の洗浄での給水路切替弁４４の開度よりもリム側へ開くように制御される。
【００６２】
また、算出した給水流量ＱＡが、基準給水流量Ｑ０よりも高い場合には、図７に示すように、コントローラ７４は、水洗大便器１の次回の洗浄での第２工程の時間（時刻ｔ１３−時刻ｔ４）を水洗大便器１の今回の洗浄での時間よりも短い時間（例えば、時刻ｔ１０４−時刻ｔ４）となるように設定する。一方、算出した給水流量ＱＡが、基準給水流量Ｑ０よりも低い場合には、図７に示すように、コントローラ７４は、水洗大便器１の次回の洗浄での第２工程の時間（時刻ｔ１３−時刻ｔ４）を水洗大便器１の今回の洗浄での時間よりも長い時間（例えば、時刻ｔ１０５−時刻ｔ４）となるように設定する。
【００６３】
つぎに、時刻ｔ１６において、コントローラ７４により、給水路切替弁４４の開度はリム側全開状態（リム側１００％貯水タンク側０％）の位置に戻り、待機状態（時刻ｔ０と同じ状態）に復帰する。
【００６４】
上述した本実施形態による水洗大便器１によれば、洗浄水源である水道（図示せず）からリム吐水口１８に供給される洗浄水の洗浄水量を抑制して節水化を行ったとしても、洗浄開始後、コントローラ７４による給水路切替弁４４の開度を制御することにより、最初にリム吐水口１８から吐水された洗浄水が、リム吐水口１８の位置ＰA に関連したボウル部１２内の洗浄強化領域Ｆｒを通過するまでの間（時刻ｔ３〜ｔ４の間）、洗浄強化領域Ｆｒ内の汚物受け面２０を流下する程度の比較的小さい流量Ｑ１ａ、Ｑ１ｂで制御され、ボウル部１２内の領域Ｒｒを流れる洗浄水の流量Ｑ２が、洗浄強化領域Ｆｒ内の汚物受け面２０を流下する程度の小さい流量Ｑ１よりも大きい流量で制御されるため、ボウル部１２内の洗浄強化領域Ｆｒ，Ｒｌを通過する洗浄水に作用する遠心力の影響を抑制することができる。したがって、ボウル部１２内の洗浄強化領域Ｆｒ，Ｒｌを通過する洗浄水の大半が汚物受け面２０に沿って確実に流下することができるため、水洗大便器１の洗浄水量の節水化が行われている状況下でも、リム吐水口１８の位置Ｐ A に関連したボウル部１２内の洗浄強化領域Ｆｒ，Ｒｌの汚物受け面２０に付着していた汚物を洗い落すのに十分な洗浄水量と水勢を得ることができ、洗浄性能を向上させることができる。
【００６５】
また、本実施形態による水洗大便器１によれば、洗浄水源である水道（図示せず）からリム吐水口１８に供給される洗浄水の洗浄水量を抑制して節水化を行ったとしても、洗浄開始後、時刻ｔ３〜ｔ４の間（例えば、１．７秒間）では、コントローラ７４が給水路切替弁４４の開度を制御することにより、リム吐水口１８から吐水されて洗浄強化領域Ｆｒを流れる洗浄水の流量が０［Ｌ／ｍｉｎ］から所定の流量（例えば、３〜７［Ｌ／ｍｉｎ］）まで、増加率（傾き）ｋ１、増加率ｋ２、増加率ｋ１の順で時間の経過と共に段階的に増加するように洗浄水の流量Ｑ１ａ，Ｑ１ｂ（流速ｖ１ａ，ｖ１ｂ）が制御され、洗浄水が、ボウル部１２内の洗浄強化領域Ｆｒを通過後の時刻ｔ４で、ボウル部１２内の領域Ｒｒを通過する洗浄水が、所定の流量Ｑ２（例えば、９〜１６［Ｌ／ｍｉｎ］）でボウル部１２内の本洗浄が可能となるように流量Ｑ１ａ，Ｑ１ｂ（流速ｖ１ａ，ｖ１ｂ）よりも大きい流量Ｑ２（流速ｖ２）で制御される。したがって、洗浄水がボウル部１２内の洗浄強化領域Ｆｒを通過後に、このボウル部１２内の洗浄強化領域Ｆｒの後方側の領域Ｒｒ，Ｒｌを洗浄するのに十分な旋回流を形成することができ、ボウル部１２内全体の洗浄性能を向上させることができる。
【００６６】
また、本実施形態による水洗大便器１によれば、コントローラ７４は、算出した給水流量ＱＡに基づいて、所定の流量Ｑ１が一定となるように、水洗大便器１の次回の洗浄での給水路切替弁４４の開度を設定する。すなわち、算出した給水流量ＱＡが、基準給水流量Ｑ０よりも高い場合には、コントローラ７４は、第１工程において、水洗大便器１の次回の洗浄での給水路切替弁４４の開度を水洗大便器１の今回の洗浄での給水路切替弁４４の開度よりもタンク側へ開くように設定する。そのため、算出した給水流量ＱＡが基準給水流量Ｑ０よりも高くなっている場合にも、水洗大便器１の次回の洗浄では、第１工程において、実際にリム吐水口１８から吐水される洗浄水の流量が所定の流量Ｑ１ａとなるように調整されているため、リム吐水口１８から無駄に洗浄水が吐水されてしまうことを防止することができる。
【００６７】
一方、算出した給水流量ＱＡが、基準給水流量Ｑ０よりも低い場合には、コントローラ７４は、第１工程において、水洗大便器１の次回の洗浄給水路切替弁４４の開度を洗大便器１の今回の洗浄での給水路切替弁４４の開度よりもリム側へ開くように設定する。そのため、算出した給水流量ＱＡが基準給水流量Ｑ０よりも低くなっている場合にも、水洗大便器１の次回の洗浄では、第１工程において、実際にリム吐水口１８から吐水される洗浄水の流量が所定の流量Ｑ１ａとなるように調整されているため、リム吐水口１８から吐水される洗浄水が不足し、不洗部ができてしまうことを防止することができる。したがって、本実施形態による水洗大便器１によれば、洗浄水源である水道から供給される洗浄水の給水流量に基づく給水状態の変動に関わらず、洗浄力を維持しつつ、更なる節水化を達成することができる。
【００６８】
また、本実施形態による水洗大便器１によれば、コントローラ７４は、算出した給水流量ＱＡに基づいて、水洗大便器１の次回の洗浄での第２工程の時間を調整して設定する。すなわち、算出した給水流量ＱＡが、基準給水流量Ｑ０よりも高い場合には、コントローラ７４は、水洗大便器１の次回の洗浄での第２工程の時間（時刻ｔ１３−時刻ｔ４）を水洗大便器１の今回の洗浄での時間よりも短い時間（例えば、時刻ｔ１０４−時刻ｔ４）となるように設定する。そのため、算出した給水流量ＱＡが基準給水流量Ｑ０よりも高くなっている場合にも、水洗大便器１の次回の洗浄では、第２工程において、実際にリム吐水口１８から吐水される洗浄水の洗浄水量が一定となり（増えず）、リム吐水口１８から無駄に洗浄水が吐水されてしまうことを防止することができる。よって、より節水化を達成することができる。
【００６９】
一方、算出した給水流量ＱＡが、基準給水流量Ｑ０よりも低い場合には、コントローラ７４は、水洗大便器１の次回の洗浄での第２工程の時間（時刻ｔ１３−時刻ｔ４）を水洗大便器１の今回の洗浄での時間よりも長い時間（例えば、時刻ｔ１０５−時刻ｔ４）となるように設定する。そのため、算出した給水流量ＱＡが基準給水流量Ｑ０よりも低くなっている場合にも、水洗大便器１の次回の洗浄では、第２工程において、実際にリム吐水口１８から吐水される洗浄水の洗浄水量が不足し、洗浄水がボウル部１２内の洗浄強化領域Ｆｒを通過後に、このボウル部１２内の洗浄強化領域Ｆｒの後方側の領域Ｒｒ，Ｒｌを洗浄するのに十分な旋回流を形成することができず、ボウル部１２内全体の洗浄性能が低下してしまうことを防止することができる。
したがって、本実施形態による水洗大便器１によれば、洗浄水源である水道から供給される洗浄水の給水流量に基づく給水状態の変動に関わらず、洗浄力を維持しつつ、更なる節水化を達成することができる。
【００７０】
また、本実施形態による水洗大便器１によれば、第２工程におけるリム吐水口１８から吐水される洗浄水の洗浄水量が一定となるように調整するために、給水路切替弁４４の開度を調整するのではなく、第２工程の時間を調整している。そのため、算出した給水流量ＱＡが、基準給水流量Ｑ０よりも高い場合に、給水路切替弁４４の開度をタンク側へと開くように設定すると、貯水タンク２８がオーバーフロー流路６４の上端６４ａを超えて満水状態になってしまい、オーバーフロー流路６４の上端６４ａを超えた分の洗浄水を無駄に使用してしまう畏れがあるのに対し、本実施形態では、第２工程の時間を調整しているため、貯水タンク２８がオーバーフロー流路６４の上端６４ａを超えて満水状態となることを抑制することができる。よって、無駄に洗浄水を使用してしまうことを防止することができる。
【００７１】
なお、本実施形態では、予め基準給水流量Ｑ０を設定しておき、水洗大便器１の洗浄を行う度に、コントローラ７４は、洗浄時に算出した給水流量ＱＡに基づいて、所定の流量Ｑ１が一定となるように、水洗大便器１の次回の洗浄での給水路切替弁４４の開度を設定することで流量Ｑ１を調整しているが、これに限らない。例えば、予め基準給水流量Ｑ０を設定しておき、水洗大便器１を設置後、初めての洗浄時には、算出した給水流量ＱＡと基準給水流量Ｑ０を比較して水洗大便器１の次回の洗浄での給水路切替弁４４の開度を設定し、２回目以降の洗浄時には、算出した給水流量ＱＡと前回の洗浄時に算出した給水流量ＱＢと比較し、水洗大便器１の次回の洗浄での給水路切替弁４４の開度を設定してもよい。
【００７２】
また、本実施形態では、洗浄水源である水道の給水状態として、洗浄水源である水道の給水流量を測定しているが、これに限らない。例えば、洗浄水源である水道の給水状態として、圧力計などを用いて洗浄水源である水道から供給される洗浄水の給水圧力を測定してもよい。この場合、コントローラ７４は、測定した給水圧力に基づいて、給水路切替弁４４の開度を調整する。これにより、洗浄水源である水道から供給される洗浄水の給水圧力に基づく給水状態の変動に関わらず、洗浄力を維持しつつ、更なる節水化を達成することができる。
【符号の説明】
【００７３】
１    水洗大便器
２    便器本体
４    便座
６    カバー
８    局部洗浄装置
１０    機能部
１２    ボウル部
１２ａ  ボウル部内の前端部
１２ｂ  ボウル部内の右側端部
１２ｃ  ボウル部内の後端部
１２ｄ  ボウル部内の左側端部
１４    排水トラップ管路
１４ａ  排水トラップ管路の入口
１４ｂ  トラップ上昇管
１４ｃ  トラップ下降管
１４ｄ  排水トラップ管路の頂部
１６    ジェット吐水口
１６ａ  ジェット導水路
１８    リム吐水口
１８ａ  リム導水路
２０    ボウル部の汚物受け面
２０ａ  ボウル部の汚物受け面の底部
２２    ボウル部のリム部
２２ａ  ボウル部のリム部の内周面
２４    ボウル部の棚部
２４ａ  ボウル部の棚部の傾斜部
２６    排水管
２８    貯水タンク
３０    加圧ポンプ
３０ａ  ポンプ室
３２    給水路
３４    止水栓
３６    ストレーナ
３８    分岐金具
４０    定流量弁
４２    電磁開閉弁
４２ａ  ダイヤフラム
４２ｂ  ソレノイド
４４    給水路切替弁（流量可変手段）
４４ａ  第１ポート  ４４ｂ  第２ポート
４４ｃ  第３ポート
４４ｄ  ロータ
４６    バルブユニット
４８    リム側給水路
５０    タンク側給水路
５２    ポンプ側給水路
５４    ジェット側給水路
５４ａ  ジェット側給水路の凸型部分の頂部
５６    リム吐水用バキュームブレーカ
５８    戻り管路
６０    バキュームブレーカ
６２    フロート式逆止弁
６２ａ  フロート
６４    オーバーフロー流路
６４ａ  オーバーフロー流路の上端
６６    フロート式逆止弁
６６ａ  フロート
７０    水抜栓
７２    水受けトレイ
７４    コントローラ（流量可変手段、給水圧計測手段、吐水時間調整手段）
７６    上端フロートスイッチ
７８    下端フロートスイッチ
８０    フラッパー弁
【図１】
2015068078.tif 000003
【図３】
2015068078.tif 000004
【図４】
2015068078.tif 000005
【図５】
2015068078.tif 000006
【図２】
2015068078.tif 000007
【図６】
2015068078.tif 000008
【図７】
2015068078.tif 000009
【図８】
2015068078.tif 000010